(57)【要約】      （修正有）【課題】出力インタフェースが制限された状況下においても、より好適な画像を撮像することが可能な、情報処理装置、情報処理方法及びプログラムを提供する。【解決手段】情報処理システムにおいて、撮像装置は、撮像部と、撮像部の動作を制御する制御部と、外部装置（情報処理端末）と通信を行う通信部と、撮像に関する動作を指示する指示部（操作部）と、を備える。制御部は、外部装置からの通信部を介した指示を受け付ける場合と、指示部からの指示を受け付ける場合と、のうちのいずれかに応じて、撮像部の動作を制御するための設定を、ユーザ入力に基づく設定と、ユーザ入力に基づく設定が反映されないあらかじめ決められた設定と、のいずれかに設定する。【選択図】図７
2020099069.tif 000002
【特許請求の範囲】
【請求項１】
撮像部と、
前記撮像部の動作を制御する制御部と、
外部装置と通信を行う通信部と、
撮像に関する動作を指示する指示部と、
を備え、
前記制御部は、前記外部装置からの前記通信部を介した指示を受け付ける場合と、前記指示部からの指示を受け付ける場合と、のうちのいずれかに応じて、前記撮像部の動作を制御するための設定を、ユーザ入力に基づく設定と、ユーザ入力に基づく設定が反映されないあらかじめ決められた設定と、のいずれかに設定する、
撮像装置。
【請求項２】
前記設定は、撮像条件に関する設定を含む、請求項１に記載の撮像装置。
【請求項３】
前記撮像条件に関する設定は、露光条件、拡大率、ＩＳＯ感度、ホワイトバランス、撮像された画像に対する画像処理の種類、オートフォーカス、手ぶれ補正、オートシャッター機能、のうち少なくともいずれかの設定を含む、請求項２に記載の撮像装置。
【請求項４】
前記あらかじめ決められた設定は、前記撮像部が画像を撮像するための撮像条件のうち、少なくとも一部を自動で制御するための設定を含む、請求項１〜３のいずれか一項に記載の撮像装置。
【請求項５】
前記あらかじめ決められた設定は、前記撮像部により撮像された画像に対して所定の画像処理を施すための設定を含む、請求項１〜４のいずれか一項に記載の撮像装置。
【請求項６】
前記制御部は、
前記撮像部及び前記外部装置の一方に対して他方が直接または間接的に保持されているか否かを示す保持状態を判別し、
前記外部装置からの前記通信部を介した指示を受け付ける場合において、判別された前記保持状態に応じて、互いに異なる設定に基づき、前記撮像部の動作を制御する、
請求項１〜５のいずれか一項に記載の撮像装置。
【請求項７】
前記制御部は、前記外部装置からの前記通信部を介した指示を受け付ける場合において、判別された前記保持状態に応じて、互いに異なる撮像条件に基づき、前記撮像部による画像の撮像に係る動作を制御する、請求項６に記載の撮像装置。
【請求項８】
前記制御部は、前記外部装置からの前記通信部を介した指示を受け付ける場合であり、かつ、前記撮像部及び前記外部装置の一方に対して他方が保持されていない状態において、前記撮像部の状態を示す報知情報を前記外部装置に報知させる、請求項６に記載の撮像装置。
【請求項９】
前記外部装置からの前記通信部を介した指示を受け付ける場合であり、かつ、前記撮像部及び前記外部装置の一方に対して他方が保持されていない状態に対応する前記設定は、前記撮像部により撮像された画像に対して所定の画像処理を施すための設定を含む、請求項６に記載の撮像装置。
【請求項１０】
報知情報を報知する報知部を備える、請求項１〜９のいずれか一項に記載の撮像装置。
【請求項１１】
前記撮像部により撮像された画像は、前記外部装置が有する表示部に表示される、請求項１〜１０のいずれか一項に記載の撮像装置。
【請求項１２】
コンピュータが、
撮像部の動作を制御することと、
外部装置と通信を行うことと、
を含み、
前記外部装置からの前記通信を介した指示を受け付ける場合と、指示部からの撮像に関する動作の指示を受け付ける場合と、のうちのいずれかに応じて、前記撮像部の動作を制御するための設定が、ユーザ入力に基づく設定と、ユーザ入力に基づく設定が反映されないあらかじめ決められた設定と、のいずれかに設定される、
撮像方法。
【請求項１３】
コンピュータに、
撮像部の動作を制御することと、
外部装置と通信を行うことと、
を実行させ、
前記外部装置からの前記通信を介した指示を受け付ける場合と、指示部からの撮像に関する動作の指示を受け付ける場合と、のうちのいずれかに応じて、前記撮像部の動作を制御するための設定が、ユーザ入力に基づく設定と、ユーザ入力に基づく設定が反映されないあらかじめ決められた設定と、のいずれかに設定される、
プログラム。
【発明の詳細な説明】
【技術分野】
【０００１】
本開示は、撮像装置、撮像方法、及びプログラムに関する。
【背景技術】
【０００２】
デジタルスチルカメラやデジタルビデオカメラ（以降では、総じて「デジタルカメラ」と呼ぶ場合がある）等のデバイスの中には、無線のネットワークを介してスマートフォンのような情報処理端末に接続可能なものがある。このように、異なる機器間を無線のネットワークを介して接続するための通信規格として、例えば、Ｗｉ−Ｆｉ（Wireless  Fidelity）（登録商標）等が挙げられる。
【０００３】
また、近年では、情報処理端末とデジタルカメラ等の撮像装置とをネットワークを介して接続することで、当該情報処理端末を介して当該撮像装置を操作するための機能が提供されている。このような機能の提供に伴い、当該撮像装置の中には、ネットワークを介して接続された情報処理端末が主なＵＩ（ユーザインタフェース）として利用されることを前提として、当該撮像装置自体に設けられた入出力インタフェースが制限された（例えば、簡素化もしくは排除された）ものも提供されてきている。
【先行技術文献】
【特許文献】
【０００４】
【特許文献１】特開２００７−１７３９１０号公報
【特許文献２】特開２００４−１７３０３６号公報
【特許文献３】特開２００８−１４１７０４号公報
【特許文献４】特開平１０−１６４４２２号公報
【発明の概要】
【発明が解決しようとする課題】
【０００５】
前述したような、入出力インタフェースが制限された撮像装置の中には、撮像装置が単体で動作している状態（即ち、情報処理端末と連携していない状態）においても、当該撮像装置に設けられた入力インタフェースを介した操作により画像を撮像可能としたものもある。
【０００６】
一方で、撮像装置単体で動作している状態では、出力インタフェースが制限されているため、露出、ホワイトバランス、画角等のような撮像時の設定をユーザが確認できるとは限らず、好適な画像（例えば、被写体が忠実に再現された画像）が撮像できない場合もある。
【０００７】
そこで、本開示では、出力インタフェースが制限された状況下においても、より好適な画像を撮像することが可能な、撮像装置、撮像方法、及びプログラムを提案する。
【課題を解決するための手段】
【０００８】
本開示によれば、撮像部と、前記撮像部の動作を制御する制御部と、外部装置と通信を行う通信部と、撮像に関する動作を指示する指示部と、を備え、前記制御部は、前記外部装置からの前記通信部を介した指示を受け付ける場合と、前記指示部からの指示を受け付ける場合と、のうちのいずれかに応じて、前記撮像部の動作を制御するための設定を、ユーザ入力に基づく設定と、ユーザ入力に基づく設定が反映されないあらかじめ決められた設定と、のいずれかに設定する、撮像装置が提供される。
【０００９】
また、本開示によれば、コンピュータが、撮像部の動作を制御することと、外部装置と通信を行うことと、を含み、前記外部装置からの前記通信部を介した指示を受け付ける場合と、指示部からの撮像に関する動作の指示を受け付ける場合と、のうちのいずれかに応じて、前記撮像部の動作を制御するための設定が、ユーザ入力に基づく設定と、ユーザ入力に基づく設定が反映されないあらかじめ決められた設定と、のいずれかに設定される、撮像方法が提供される。
【００１０】
また、本開示によれば、コンピュータに、撮像部の動作を制御することと、外部装置と通信を行うことと、を実行させ、前記外部装置からの前記通信部を介した指示を受け付ける場合と、指示部からの撮像に関する動作の指示を受け付ける場合と、のうちのいずれかに応じて、前記撮像部の動作を制御するための設定が、ユーザ入力に基づく設定と、ユーザ入力に基づく設定が反映されないあらかじめ決められた設定と、のいずれかに設定される、プログラムが提供される。
【発明の効果】
【００１１】
以上説明したように本開示によれば、出力インタフェースが制限された状況下においても、より好適な画像を撮像することが可能な、情報処理装置、情報処理方法、及びプログラムが提供される。
【００１２】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１３】
【図１】本開示の実施形態に係る情報処理システムの概略的なシステム構成の一例について説明するための説明図である。
【図２】入出力インタフェースが制限された撮像装置の一例を示している。
【図３】同実施形態に係る情報処理システムの使用形態の一例について説明するための説明図である。
【図４】同実施形態に係る情報処理システムの使用形態の他の一例について説明するための説明図である。
【図５】同実施形態に係る情報処理システムの使用形態の他の一例について説明するための説明図である。
【図６】同実施形態に係る情報処理システムの使用形態の他の一例について説明するための説明図である。
【図７】同実施形態に係る情報処理システムの機能構成の一例を示したブロック図である。
【図８】同実施形態に係る撮像装置の一連の動作の流れの一例について示したフローチャートである。
【図９】変形例１−１に係る制御方法の一例について説明するための説明図である。
【図１０】変形例１−２に係る制御方法の一例について説明するための説明図である。
【図１１】変形例１−３に係る制御方法の一例について説明するための説明図である。
【図１２】変形例２に係る情報処理システムの概要について説明するための説明図である。
【図１３】変形例２に係る情報処理システムの機能構成の一例を示したブロック図である。
【図１４】同実施形態に係る撮像装置のハードウェア構成の一例を示した図である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．概要
２．機能構成
３．処理
４．変形例１：画像が撮像される環境の変化に応じた制御例
４．１．変形例１−１：撮像時の時間情報に基づく制御
４．２．変形例１−２：撮像シーンの変化に基づく制御
４．３．変形例１−３：撮像時の位置情報に基づく制御
４．４．まとめ
５．変形例２：撮像装置と情報処理端末との連携時の動作の一例
６．ハードウェア構成
７．まとめ
【００１６】
＜１．概要＞
まず、図１を参照して、本開示の実施形態に係る情報処理システムの概略的なシステム構成の一例について説明する。図１は、本実施形態に係る情報処理システムの概略的なシステム構成の一例について説明するための説明図である。
【００１７】
図１に示すように、本実施形態に係る情報処理システムは、撮像装置１０と、情報処理端末３０とを含む。撮像装置１０は、所謂デジタルカメラのように、静止画像や動画像等の画像を撮像するための装置に相当する。また、情報処理端末３０は、所謂スマートフォンのようなユーザ端末に相当する。
【００１８】
撮像装置１０と、情報処理端末３０とは、無線のネットワークｎ１１等の通信経路を介して互い通信可能に接続されている。ネットワークｎ１１の具体的な一例としては、Ｗｉ−Ｆｉ（登録商標）規格に基づくネットワークが挙げられる。例えば、Ｗｉ−Ｆｉ（登録商標）規格に基づくネットワークｎ１１を適用する場合には、撮像装置１０と情報処理端末３０とのうちのいずれか一方がアクセスポイントとして動作し、他方がステーションとして当該一方に接続する。
【００１９】
特に、本実施形態に係る情報処理端末３０は、ネットワークｎ１１を介して接続された撮像装置１０の動作（例えば、画像の撮像に係る動作）を制御可能に構成されている。即ち、撮像装置１０は、ネットワークｎ１１を介して情報処理端末３０から送信された指示に基づき、動画像や静止画像のような画像を撮像することが可能である。なお、本機能は、例えば、ネットワークを介して撮像装置１０の動作を制御するためのＡＰＩ（Application  Programming  Interface）を利用して作成されたアプリケーションを、情報処理端末３０にインストールすることで実現され得る。もちろん、上記機能を実現するためのアプリケーションを、情報処理端末３０にあらかじめ組み込んでいてもよい。
【００２０】
なお、以降では、情報処理端末３０がスマートフォンの場合を例に説明するが、当該情報処理端末３０は、必ずしもスマートフォンには限定されない。具体的な一例として、リモートコントローラ等のような、無線のネットワークを介して撮像装置１０と接続可能な装置を、情報処理端末３０として適用してもよい。
【００２１】
このような構成により、撮像装置１０として、入出力インタフェースが制限された（例えば、簡素化もしくは排除された）機器を利用することが可能となる。例えば、図２は、入出力インタフェースが制限された撮像装置１０の一例を示している。図２に示す例では、撮像装置１０は、画像の撮像に係る操作のためのインタフェースとして、情報処理端末３０を利用することを前提として、液晶ディスプレイのような出力インタフェースが排除され、操作インタフェースも制限されている。より具体的には、図２に示す例では、撮像装置１０の操作インタフェースは、当該撮像装置１０の筐体の少なくともいずれかの位置（例えば、筐体の側面）に設けられた、ボタン（例えば、シャッターボタン）等のように、簡素化された操作インタフェースに限られている。なお、本説明において、「撮像装置１０の筐体」とは、撮像装置１０の各種デバイス（例えば、撮像デバイスや操作インタフェース等）が設けられる、当該撮像装置１０の本体に相当し、より具体的には、撮像装置１０のフレームを含めた外装に相当する。
【００２２】
また、撮像装置１０は、図２に示すように、情報処理端末３０に対して着脱可能に構成されていてもよい。具体的な一例として、情報処理端末３０に対して撮像装置１０を固定（または保持）するためのアタッチメントを、情報処理端末３０もしくは撮像装置１０に設けることで、情報処理端末３０に対して撮像装置１０を取り付けられるように構成してもよい。
【００２３】
なお、図２に示す撮像装置１０の例は、あくまで一例であり、必ずしも、本実施形態に係る撮像装置１０の構成を限定するものではない。即ち、ネットワークｎ１１を介して情報処理端末３０と通信可能であれば、撮像装置１０として、例えば、液晶ディスプレイ等の入出力インタフェースを備えた、一般的な撮像装置を使用してもよい。
【００２４】
例えば、図３は、本実施形態に係る情報処理システムの使用形態の一例について説明するための説明図であり、撮像装置１０と情報処理端末３０とがネットワークを介して接続されることで、連携して動作する場合の一例を示している。図３に示すように、情報処理端末３０に対して撮像装置１０を取り付けることで、ユーザは、当該撮像装置１０を、入出力インタフェースが制限されていない所謂デジタルカメラと同様に使用することが可能となる。
【００２５】
また、図４は、本実施形態に係る情報処理システムの使用形態の他の一例について説明するための説明図であり、撮像装置１０と情報処理端末３０とがネットワークを介して接続されることで、連携して動作する場合の他の一例を示している。図４に示す例では、ネットワークを介して接続された撮像装置１０と情報処理端末３０とが、互いに離間した状態（即ち、情報処理端末３０に対して撮像装置１０が取り付けられていない状態）で使用される場合の一例を示している。図４に示すように、本実施形態に係る情報処理システムは、連携して動作する撮像装置１０と情報処理端末３０とが、お互いに物理的な位置の制約を受けずに動作することも可能である。
【００２６】
また、図５及び図６は、本実施形態に係る情報処理システムの使用形態の他の一例について説明するための説明図であり、撮像装置１０が単体で動作する場合の一例を示している。図５に示すように、本実施形態に係る撮像装置１０は、情報処理端末３０と連携していない状態、即ち、撮像装置１０が単体で動作する状態においても、画像を撮像可能に構成されている。この場合には、例えば、ユーザは、撮像装置１０に設けられた入力インタフェース（例えば、ボタンやスイッチ）を介して当該撮像装置１０を操作することとなる。換言すると、撮像装置１０が単体で動作する場合には、当該撮像装置１０は、自身に設けられた入力インタフェースと、外部装置である情報処理端末３０とのうち、当該入力インタフェースを介した指示のみに基づき動作することとなる。
【００２７】
一方で、図６に示すように、撮像装置１０が単体で動作する場合には、当該撮像装置１０と情報処理端末３０との間の通信が確立されておらず、情報処理端末３０は、撮像装置１０の状態を検知し、当該状態をユーザに提示することが困難である。また、撮像装置１０が単体で動作する場合は、即ち、ユーザ自身が、情報処理端末３０を操作せず（使用せず）に、撮像装置１０のみを操作している場合に相当し得る。
【００２８】
即ち、撮像装置１０が単体で動作する場合には、ユーザは、例えば、当該撮像装置１０に設けられた出力インタフェース（即ち、制限された出力インタフェース）を介して各種情報を確認することとなる。そのため、撮像装置１０が単体で動作する場合には、撮像装置１０がユーザに対して提示できる情報の種別や情報量は、情報処理端末３０と連携して動作する場合に比べて制限されることとなる。
【００２９】
このような状況下では、撮像装置１０が単体で動作する場合には、ユーザは、露出、ホワイトバランス、ＩＳＯ感度等の画像の撮像に係る設定や、撮像時の画角を確認することが困難となる。そのため、例えば、日中の屋外での撮影にも関わらず、撮像装置１０に対して、白熱灯が多い夜間の室内撮影にあわせてホワイトバランスが設定されているような状況下においても、ユーザが、当該設定を確認することが困難な場合がある。また、スルー画像を確認することが困難なため、画角が傾いていたとしても、ユーザが、画角が傾いていることを認識することが困難な場合がある。
【００３０】
以上のように、出力インタフェースが制限された撮像装置１０が単体で動作する場合には、ユーザが意図する画像を撮像することが困難な場合がある。
【００３１】
そこで、本実施形態に係る情報処理システムでは、撮像装置１０が単体で動作する状態では、撮像装置１０は、露出やホワイトバランス等の撮像条件に関する設定を自動設定としたり、画角を自動で補正する（画像処理により水平補正する）動作モードで動作する。即ち、本実施形態に係る情報処理システムでは、撮像装置１０は、自身が単体で動作する状態を検知した場合に、あらかじめ設定された動作モードに遷移する。このような構成により、本実施形態に係る情報処理システムに依れば、撮像時の設定や画角の確認が困難な状況においても、被写体やシーンに適した設定が行われていない画像等のような、ユーザが意図していない画像が撮像される事態を防止することが可能となる。そこで、以降では、本実施形態に係る情報処理システムについて、さらに詳しく説明する。
【００３２】
＜２．機能構成＞
まず、図７を参照して、本実施形態に係る情報処理システムの機能構成の一例について説明する。図７は、本実施形態に係る情報処理システムの機能構成の一例を示したブロック図である。
【００３３】
図７に示すように、撮像装置１０は、制御部１１と、通信部１３と、撮像部１５と、記憶部１７と、操作部１８と、報知部１９とを含む。また、制御部１１は、処理実行部１１１と、状態監視部１１３と、モード判別部１１５と、設定制御部１１７とを含む。また、情報処理端末３０は、制御部３１と、通信部３３と、ＵＩ３５とを含む。
【００３４】
通信部３３は、情報処理端末３０内の各構成が、無線のネットワークｎ１１を介して、撮像装置１０と通信を行うための通信インタフェースである。ネットワークｎ１１の具体的な一例としては、前述したように、Ｗｉ−Ｆｉ（登録商標）規格に基づくネットワークが挙げられる。
【００３５】
なお、以降では、情報処理端末３０内の各構成が、ネットワークｎ１１を介して撮像装置１０との間でデータを送受信する場合には、特に説明が無い場合においても、通信部３３を介して当該データの送受信を行うものとする。
【００３６】
ＵＩ３５は、ユーザが情報処理端末３０を操作するためのユーザインタフェースである。ＵＩ３５は、例えば、ボタンやタッチパネル等のようにユーザが情報処理端末３０を操作するための操作部と、ディスプレイ等のように情報処理端末３０がユーザに対して情報を提示するための表示部とを含んでもよい。
【００３７】
制御部３１は、ネットワークｎ１１を介して接続された撮像装置１０の動作を制御可能に構成されている。具体的な一例として、制御部３１は、ネットワークを介して撮像装置１０を操作するためのＡＰＩに基づき生成されたアプリケーションを実行することで、当該撮像装置１０の動作を制御する。
【００３８】
具体的な一例として制御部３１は、ＵＩ３５を介したユーザからの指示に基づき、ネットワークｎ１１を介して撮像装置１０に画像の撮像を指示してもよい。この場合には、制御部３１は、当該指示に対する応答として、撮像された画像を、ネットワークｎ１１を介して撮像装置１０から取得してもよい。また、制御部３１は、撮像装置１０から取得した画像を、ＵＩ３５（例えば、表示部）を介してユーザに提示してもよい。
【００３９】
また、制御部３１は、ＵＩ３５を介したユーザからの指示に基づき、ネットワークｎ１１を介して撮像装置１０にスルー画像の出力を指示してもよい。この場合には、制御部３１は、当該指示に対する応答として、撮像されたスルー画像を、ネットワークｎ１１を介して撮像装置１０から逐次取得する。そして、制御部３１は、取得したスルー画像を、ＵＩ３５を介してユーザに逐次提示してもよい。
【００４０】
また、制御部３１は、撮像装置１０に保持された各種情報を、ネットワークｎ１１を介して参照または更新してもよい。具体的な一例として、制御部３１は、撮像装置１０に保持された撮像条件などの各種設定を示す情報を、ネットワークｎ１１を介して当該撮像装置１０から取得し、取得した当該情報を、ＵＩ３５を介してユーザに提示してもよい。また、制御部３１は、ＵＩ３５を介したユーザからの指示に基づき、撮像装置１０に保持された各種設定を示す情報の更新を、ネットワークｎ１１を介して当該撮像装置１０に指示してもよい。
【００４１】
通信部１３は、撮像装置１０内の各構成が、無線のネットワークｎ１１を介して、情報処理端末３０と通信を行うための通信インタフェースである。ネットワークｎ１１の具体的な一例としては、前述したように、Ｗｉ−Ｆｉ（登録商標）規格に基づくネットワークが挙げられる。
【００４２】
なお、以降では、撮像装置１０内の各構成が、ネットワークｎ１１を介して情報処理端末３０との間でデータを送受信する場合には、特に説明が無い場合においても、通信部１３を介して当該データの送受信を行うものとする。
【００４３】
撮像部１５は、イメージセンサを備え、後述する制御部１１からの指示に基づき、被写体の静止画像または動画像などの画像を撮像する。当該イメージセンサは、例えば、ＣＭＯＳ（Complementary  Metal-Oxide  Semiconductor）イメージセンサやＣＣＤ（Charge  Coupled  Device）イメージセンサ等の、被写体を撮像し、撮像画像のデジタルデータを得る撮像素子である。撮像部１５は、撮像した画像を記憶部１７に記録してもよい。また、撮像部１５は、撮像した画像を制御部１１に直接出力してもよい。
【００４４】
また、撮像部１５は、制御部１１からの指示された撮像条件に基づき、画像を撮像してもよい。撮像条件の具体的な一例としては、絞りやシャッタースピードに基づく露光条件、光学ズームやデジタルズーム等の拡大率、ＩＳＯ感度、ホワイトバランス等が挙げられる。
【００４５】
また、撮像部１５は、制御部１１からの指示に基づき、所謂スルー画像（例えば、間引き画像）を撮像し、撮像したスルー画像を制御部１１に逐次出力してもよい。
【００４６】
記憶部１７は、撮像された画像を記録するための記録媒体である。記憶部１７は、撮像装置１０に内蔵された記録媒体として構成され得る。また、記憶部１７は、撮像装置１０に対して挿脱可能な外部記録媒体として構成されていてもよい。
【００４７】
なお、図７に示す例では、撮像装置１０が撮像部１５を内蔵する構成例について示しているが、撮像部１５は、撮像装置１０の外部に設けられていてもよい。同様に、図７に示す例では、撮像装置１０が記憶部１７を内蔵する構成例について示しているが、記憶部１７は、撮像装置１０の外部に設けられていてもよい。
【００４８】
操作部１８は、ユーザが撮像装置１０を操作するための構成である。操作部１８の具体的な一例として、ボタンやスイッチ等のような入力デバイスが挙げられる。操作部１８は、撮像装置１０の筐体の少なくともいずれかの位置に設けられている。なお、撮像部１５を有する撮像装置１０に設けられた当該操作部１８が、撮像部と同一筐体に設けられた操作部の一例に相当する。
【００４９】
報知部１９は、撮像装置１０がユーザに対して情報を報知するための構成である。報知部１９は、撮像装置１０の筐体の少なくともいずれかの位置に設けられている。報知部１９は、例えば、ディスプレイのような表示デバイスにより構成されていてもよい。この場合には、報知部１９は、ユーザに対して報知する報知情報を、表示情報として表示させることで、当該報知情報をユーザに報知すればよい。
【００５０】
また、他の一例として、報知部１９は、ＬＥＤ（Light  Emitting  Diode）のように、点灯又は点滅のパターンにより、所定の情報をユーザに報知するデバイスであってもよい。また、報知部１９は、スピーカ等のように、所定の音響（または音声）を出力することで、所定の情報をユーザに報知するデバイスであってもよい。このように、ユーザに対して情報を報知することが可能であれば、報知部１９の態様は特に限定されない。なお、報知部１９が、撮像部と同一筐体に設けられた報知部（即ち、撮像部１５を有する撮像装置１０の筐体に設けられた報知部）の一例に相当する。
【００５１】
処理実行部１１１は、ネットワークｎ１１を介した情報処理端末３０からの指示を受けて、当該指示に対応する機能を実行することで、撮像部１５の動作を制御する。
【００５２】
例えば、処理実行部１１１は、操作部１８または情報処理端末３０から取得した指示に基づき、撮像部１５に対して、画像の撮像やスルー画像の取得を指示してもよい。
【００５３】
具体的な一例として、処理実行部１１１は、情報処理端末３０から、ネットワークｎ１１を介して画像の撮像が指示されると、当該指示に基づき撮像部１５に画像を撮像させる。このとき、処理実行部１１１は、撮像された画像を撮像部１５から取得し、取得した画像を、ネットワークｎ１１を介して情報処理端末３０に出力してもよい。なお、処理実行部１１１は、撮像された画像を撮像部１５から直接取得してもよいし、記憶部１７に記録された当該画像を読み出してもよい。この処理実行部１１１からの画像の出力を受けて、情報処理端末３０は、撮像部１５により撮像された当該画像を、ＵＩ３５（例えば、表示部）を介してユーザに提示することが可能となる。また、このような構成により、撮像装置１０は、所謂ディスプレイのような表示部を備えていない構成の場合でも、情報処理端末３０のＵＩ３５を介して、撮像された画像をユーザに提示することが可能となる。
【００５４】
また、処理実行部１１１は、情報処理端末３０から、ネットワークｎ１１を介してスルー画像の出力が指示されると、当該指示に基づき撮像部１５にスルー画像を撮像させる。そして処理実行部１１１は、撮像部１５から撮像されたスルー画像を逐次取得し、取得したスルー画像を、ネットワークｎ１１を介して情報処理端末３０に出力する。
【００５５】
また、処理実行部１１１は、操作部１８からの指示を受けて、当該指示に対応する機能を実行することで、撮像部１５の動作を制御する。
【００５６】
具体的な一例として、処理実行部１１１は、操作部１８から画像の撮像が指示されると、当該指示に基づき撮像部１５に画像を撮像させる。なお、この場合には、撮像部１５により撮像された画像は、例えば、記憶部１７に記憶されることとなる。
【００５７】
なお、処理実行部１１１が、撮像部１５の動作を制御するための設定は、後述する設定制御部１１７により制御される。当該設定の具体的な一例としては、絞りやシャッタースピードに基づく露光条件、光学ズームやデジタルズーム等の拡大率、ＩＳＯ感度、ホワイトバランス等のような、撮像部１５が画像を撮像するための撮像条件を制御するための設定が挙げられる。
【００５８】
また、処理実行部１１１は、撮像された画像に対して、所定の画像処理を施してもよい。具体的な一例として、処理実行部１１１は、撮像された画像の画角が水平となるように画像処理を施すことで、当該画像を補正してもよい。なお、撮像された画像に対する画像処理の適用の有無や、適用される画像処理の種類等の設定については、前述した撮像条件と同様に、後述する設定制御部１１７により制御される。
【００５９】
状態監視部１１３は、撮像装置１０と情報処理端末３０との間のネットワークｎ１１を介した通信が有効な状態であるか否かを監視し、監視結果をモード判別部１１５に通知する。状態監視部１１３による撮像装置１０と情報処理端末３０との間のネットワークｎ１１を介した通信が有効な状態であるか否かの監視とは、例えば、撮像装置１０と情報処理端末３０との間でＷｉ−Ｆｉの接続が確立されたか否かの監視である。また、情報処理端末３０内にインストールされたアプリケーションが、ＡＰＩを利用して、撮像装置１０を制御可能な状態であるか否かの監視としても良い。例えば、情報処理端末３０にインストールされたアプリケーションと撮像装置１０がＡＰＩを利用した通信が可能な状態であるか否かを監視する。撮像装置１０と情報処理端末３０の間でＷｉ−Ｆｉ接続は確立しているが情報処理端末３０に撮像装置１０を制御するアプリケーションがインストールされていない場合や、インストールされていてもアプリケーションが起動していない場合もありえるので、情報処理端末３０内にインストールされたアプリケーションにより撮像装置１０を制御可能な状態であるか否かを監視することでより、適切な状態判断を行うことが可能となる。このとき、状態監視部１１３は、ネットワークｎ１１を介した通信を逐次監視（死活監視）することで、当該ネットワークｎ１１を介した通信が途絶した場合に、これを検知してモード判別部１１５に通知してもよい。また、状態監視部１１３は、ネットワークｎ１１を介した通信が確立された場合に、このことをモード判別部１１５に通知してもよい。
【００６０】
モード判別部１１５は、状態監視部１１３から通知される監視結果に基づき、撮像装置１０と情報処理端末３０との間で、ネットワークｎ１１を介して情報の送受信が可能な状態か否か（即ち、情報処理端末３０が、撮像装置１０の状態を検出可能か否か）に応じて、撮像装置１０の現在の動作モードを判別する。動作モードの具体的な一例として、撮像装置１０と情報処理端末３０とが連携して動作可能なモードや、撮像装置１０が単体で動作するモードが挙げられる。
【００６１】
例えば、モード判別部１１５は、状態監視部１１３から通知される監視結果に基づき、撮像装置１０と情報処理端末３０との間のネットワークｎ１１が確立されていることを認識したとする。この場合には、モード判別部１１５は、現時点の動作モードが、撮像装置１０と情報処理端末３０とが連携して動作可能なモードであるものと認識する。なお、撮像装置１０と情報処理端末３０とが連携して動作可能なモードが、撮像部１５の状態を、情撮像装置１０の外部装置である情報処理装置３０が検知可能なモード、即ち、「第１のモード」の一例に相当する。具体的には、第１のモードとは、少なくとも、撮像装置１０と情報処理端末３０との間でＷｉ−Ｆｉの接続等の通信が確立され、当該通信を介して情報処理装置３０が、撮像装置１０から、当該撮像装置１０側に保持された情報を取得可能なモードに相当し得る。より具体的には、第１のモードは、情報処理端末３０内にインストールされたアプリケーションが、ＡＰＩを利用して、撮像装置１０の各種設定値を、上記通信を介して取得可能なモードに相当し得る。また、第１のモードは、情報処理端末３０内にインストールされたアプリケーションが、ＡＰＩを利用して、撮像部１５により撮像された画像（例えば、ライブビューとして表示される画像）を、上記通信を介して撮像装置１０から取得可能なモードであってもよい。また、第１のモードは、撮像装置１０と情報処理端末３０との間に確立された通信を介して、情報処理端末３０が、撮像装置１０の動作を制御可能なモードであってもよい。具体的には、第１のモードは、情報処理端末３０内にインストールされたアプリケーションが、ＡＰＩを利用して、上記通信を介して、撮像装置１０に画像を撮像させることが可能なモードに相当し得る。また、第１のモードは、情報処理端末３０内にインストールされたアプリケーションが、ＡＰＩを利用して、撮像装置１０の各種設定値を、上記通信を介して更新可能なモードであってもよい。
【００６２】
また、モード判別部１１５は、状態監視部１１３から通知される監視結果に基づき、撮像装置１０と情報処理端末３０との間のネットワークｎ１１が切断されていることを認識したとする。この場合には、モード判別部１１５は、現時点の動作モードが、撮像装置１０が単体で動作するモードであるものと認識する。なお、撮像装置１０が単体で動作するモードが、「第２のモード」の一例に相当する。
【００６３】
なお、このとき、モード判別部１１５は、撮像装置１０と情報処理端末３０との間のネットワークｎ１１が切断された状態が所定時間以上継続した場合に、撮像装置１０の動作モードが、撮像装置１０が単体で動作するモードに遷移したものと認識してもよい。このような制御により、例えば、撮像装置１０と情報処理端末３０との間のネットワークｎ１１の通信品質が劣化している状況下のように、当該ネットワークｎ１１が一時的に切断されるような場合において、動作モードが遷移しないように抑制することが可能となる。
【００６４】
そして、モード判別部１１５は、状態監視部１１３から通知される監視結果に基づき認識した動作モードを、設定制御部１１７に通知する。
【００６５】
設定制御部１１７は、モード判別部１１５から通知される撮像装置１０の動作モードに応じて、前述した処理実行部１１１が、撮像部１５の動作を制御するための設定を切り替える。
【００６６】
具体的な一例として、撮像装置１０の動作モードが、撮像装置１０と情報処理端末３０とが連携して動作可能なモードの場合には、設定制御部１１７は、情報処理端末３０を介したユーザからの指示に基づく設定が反映されるように各種設定を制御する。
【００６７】
一方で、撮像装置１０の動作モードが、撮像装置１０が単体で動作するモードの場合には、設定制御部１１７は、例えば、露出やホワイトバランス等の撮像条件を自動で制御されたり、画角が自動で補正されるように各種設定を変更する。
【００６８】
なお、このとき、設定制御部１１７は、必ずしも全ての設定を変更しなくてもよいことは言うまでもない。具体的な一例として、設定制御部１１７は、露出やホワイトバランス等の撮像条件のみを自動設定とし、画角の自動補正は設定しなくてもよい。また、撮像装置１０が単体で動作するモードの場合に、設定制御部１１７より制御される設定の種別やその設定値を、事前のユーザ指定に基づき変更できるようにしてもよい。
【００６９】
また、他の一例として、設定制御部１１７は、撮像装置１０が単体で動作するモードの場合には、所謂オートフォーカス（ＡＦ：Autofocus）のように、撮像部１５のピント合わせが自動化されるように設定を変更してもよい。
【００７０】
また、他の一例として、設定制御部１１７は、撮像装置１０が単体で動作するモードの場合には、手ぶれ補正による補正量を、撮像装置１０と情報処理端末３０とが連携して動作可能なモードよりも大きく設定してもよい。
【００７１】
また、他の一例として、設定制御部１１７は、撮像装置１０が単体で動作するモードの場合には、所謂オートシャッター機能が有効になるように、設定を変更してもよい。ここで、オートシャッター機能とは、例えば、被写体として撮像される人物が笑ったタイミングにあわせて、撮像装置１０自体が自動でシャッターを切る機能である。オートシャッター機能は、例えば、撮像装置１０が、被写体として撮像される人物の顔を検出し、検出された顔を解析して、当該解析結果に基づき当該人物が笑っているかを識別することで実現され得る。なお、オートシャッター機能は、所定の構図となった場合に撮像装置１０自体が自動でシャッターを切るように動作すれば、スマイルシャッターに限定されないことは言うまでもない。
【００７２】
また、設定制御部１１７は、撮像装置１０が単体で動作するモードの場合には、拡大率（ズーム）の設定が、あらかじめ決められた所定の拡大率となるように設定を変更してもよい。具体的な一例として、設定制御部１１７は、撮像装置１０が単体で動作するモードの場合には、拡大率の設定が、広角側の所定の拡大率（例えば、最大広角）となるように設定を変更してもよい。このような構成により、ユーザがスルー画像を確認できないような状況下においても、所望の被写体が画面内に収まっていないような画像が撮像される事態を防止することが可能となる。
【００７３】
また、設定制御部１１７は、撮像装置１０の動作モードに応じて、当該撮像装置１０に設けられた操作部１８に割り当てられる機能を切り替えてもよい。具体的な一例として、設定制御部１１７は、いずれか一方のモードにおいて「動画の撮像指示」が割り当てられた操作部１８に対して、他方のモードでは、「静止画の撮像指示」が割り当てられるように、設定を変更してもよい。
【００７４】
また、他の一例として、設定制御部１１７は、撮像装置１０の動作モードに応じて、当該撮像装置１０に設けられた操作部１８の有効及び無効を切り替えてもよい。具体的な一例として、設定制御部１１７は、当該撮像装置１０に設けられた操作部１８の少なくとも一部を、撮像装置１０が単体で動作するモードにおいてのみ有効化し、撮像装置１０と情報処理端末３０とが連携して動作可能なモードでは無効化してもよい。
【００７５】
また、撮像装置１０が単体で動作するモードの場合には、当該撮像装置１０に設けられた報知部１９を介して所定の情報が報知されるように、当該撮像装置１０を動作させてもよい。具体的な一例として、設定制御部１１７は、撮像装置１０が単体で動作するモードの場合には、例えば、液晶パネルとして構成された報知部１９に水準器が表示されるように各種設定を制御してもよい。
【００７６】
また、他の一例として、報知部１９を、スピーカ等のような音響情報の出力により所定の情報を報知する音響出力デバイスとして構成してもよい。この場合には、例えば、報知部１９は、撮像装置１０が所定の状態となったときに音響情報を出力することでユーザに報知してもよい。具体的な一例として、報知部１９は、撮像装置１０が水平となった場合に音響情報を出力することで、水準器と同等の機能を実現してもよい。もちろん、設定制御部１１７は、報知部１９により実現される本機能を有効化するか否かを、撮像装置１０の動作モードに応じて切り替えてもよい。
【００７７】
以上のように、本実施形態に係る撮像装置１０は、自身が単体で動作する状態を検知した場合に、所定の動作モードに遷移し、処理実行部１１１が撮像部１５の動作を制御するための設定を、当該動作モード用にあらかじめ決められた設定に切り替える。このような構成により、本実施形態に係る情報処理システムは、撮像時の設定や画角の確認が困難な状況においても、被写体やシーンに適した設定が行われていない画像等のような、ユーザが意図していない画像が撮像される事態を防止することが可能となる。
【００７８】
以上、図７を参照して、本実施形態に係る情報処理システムの機能構成の一例について説明した。
【００７９】
＜３．処理＞
次に、図８を参照して、本実施形態に係る撮像装置１０の一連の動作の流れの一例について、特に、撮像装置１０が、外部装置である情報処理端末３０との連携状態に応じてモードを切り替える動作に着目して説明する。図８は、本実施形態に係る撮像装置１０の一連の動作の流れの一例について示したフローチャートである。
【００８０】
（ステップＳ１０１）
状態監視部１１３は、撮像装置１０と情報処理端末３０との間のネットワークｎ１１を介した通信が有効な状態であるか否かを監視し、監視結果をモード判別部１１５に通知する。このとき、状態監視部１１３は、ネットワークｎ１１を介した通信を逐次監視（死活監視）することで、当該ネットワークｎ１１を介した通信が途絶した場合に、これを検知してモード判別部１１５に通知してもよい。また、状態監視部１１３は、ネットワークｎ１１を介した通信が確立された場合に、このことをモード判別部１１５に通知してもよい。
【００８１】
モード判別部１１５は、状態監視部１１３から通知される監視結果に基づき、撮像装置１０と情報処理端末３０との間で、ネットワークｎ１１を介して情報の送受信が可能な状態か否か（即ち、情報処理端末３０が、撮像装置１０の状態を検出可能か否か）に応じて、撮像装置１０の現在の動作モードを判別する。動作モードの具体的な一例として、撮像装置１０と情報処理端末３０とが連携して動作可能なモードや、撮像装置１０が単体で動作するモードが挙げられる。
【００８２】
（ステップＳ１０５）
このとき、モード判別部１１５は、状態監視部１１３から通知される監視結果に基づき、撮像装置１０と情報処理端末３０との間のネットワークｎ１１が確立されていることを認識したとする。この場合には、モード判別部１１５は、現時点の動作モードが、撮像装置１０と情報処理端末３０とが連携して動作可能なモードであるものと認識する（ステップＳ１０３、ＹＥＳ）。そして、モード判別部１１５は、認識した動作モードを、設定制御部１１７に通知する。
【００８３】
設定制御部１１７は、モード判別部１１５から通知される撮像装置１０の動作モードに応じて、前述した処理実行部１１１が、撮像部１５の動作を制御するための設定を切り替える。具体的には、撮像装置１０の動作モードが、撮像装置１０と情報処理端末３０とが連携して動作可能なモードの場合には、設定制御部１１７は、情報処理端末３０を介したユーザからの指示に基づく設定が反映されるように各種設定を制御する。
【００８４】
（ステップＳ１０７）
また、モード判別部１１５は、状態監視部１１３から通知される監視結果に基づき、撮像装置１０と情報処理端末３０との間のネットワークｎ１１が切断されていることを認識したとする。この場合には、モード判別部１１５は、現時点の動作モードが、撮像装置１０が単体で動作するモードであるものと認識する（ステップＳ１０３、ＮＯ）。そして、モード判別部１１５は、認識した動作モードを、設定制御部１１７に通知する。
【００８５】
なお、このとき、モード判別部１１５は、撮像装置１０と情報処理端末３０との間のネットワークｎ１１が切断された状態が所定時間以上継続した場合に、撮像装置１０の動作モードが、撮像装置１０が単体で動作するモードに遷移したものと認識してもよい。
【００８６】
モード判別部１１５から通知された撮像装置１０の動作モードが、撮像装置１０が単体で動作するモードの場合には、設定制御部１１７は、例えば、露出やホワイトバランス等の撮像条件が自動で制御されたり、画角が自動で補正されるように各種設定を変更する。
【００８７】
このような構成により、本実施形態に係る情報処理システムに依れば、撮像時の設定や画角の確認が困難な状況においても、被写体やシーンに適した設定が行われていない画像等のような、ユーザが意図していない画像が撮像される事態を防止することが可能となる。
【００８８】
以上、図８を参照して、本実施形態に係る撮像装置１０の一連の動作の流れの一例について、特に、撮像装置１０が、外部装置である情報処理端末３０との連携状態に応じてモードを切り替える動作に着目して説明した。
【００８９】
＜４．変形例１：画像が撮像される環境の変化に応じた制御例＞
前述の実施形態では、撮像装置１０は、当該撮像装置１０が単体で動作するモードに遷移した場合に、撮像部１５の動作を制御するための設定を、撮像条件が自動で制御されたり、画角が自動で補正されるような設定に変更していた。
【００９０】
一方で、撮像装置１０と情報処理端末３０とが連携して動作可能なモードから、撮像装置１０が単体で動作するモードに遷移した場合に、画像が撮像される環境が大きく変化していなければ、モード遷移前のユーザ入力に基づく設定が適用された方がよい場合もある。そのため、撮像装置１０は、当該撮像装置１０が単体で動作するモードに遷移した場合に、画像が撮像される環境の変化を直接または間接的に検知し、当該環境が変化している場合に、撮像部１５の動作を制御するための設定を変更してもよい。そこで、以下に変形例１として、撮像装置１０が単体で動作するモードに遷移した場合に、当該撮像装置１０が、画像が撮像される環境の変化に応じて、撮像部１５の動作を制御するための設定を制御する場合の一例について説明する。
【００９１】
［４．１．変形例１−１：撮像時の時間情報に基づく制御］
まず、変形例１−１として、図９を参照して、撮像装置１０が、撮像時の時間情報に基づき、撮像部１５の動作を制御するための設定を変更する例について説明する。図９は、変形例１−１に係る制御方法の一例について説明するための説明図である。
【００９２】
図９に示す例では、「今回の撮影」として示すように、現時点では、撮像装置１０が単体で動作するモードで、当該撮像装置１０が動作している。また、「前回の撮影」として示すように、「今回の撮影」の直前の撮影時には、撮像装置１０と情報処理端末３０とが連携して動作するモードで、当該撮像装置１０が動作している状態を示している。なお、本説明では、説明をわかりやすくするために、「前回の撮影」と記載した場合には、撮像装置１０と情報処理端末３０とが連携して動作するモードで行われた直近の撮影を示すものとする。
【００９３】
変形例１−１に係る撮像装置１０は、当該撮像装置１０と情報処理端末３０とが連携して動作可能なモードから、当該撮像装置１０が単体で動作するモードに遷移した後の経過時間に応じて、撮像部１５の動作を制御するための設定を制御する。
【００９４】
具体的な一例として、撮像装置１０は、当該撮像装置１０と情報処理端末３０とがネットワークｎ１１を介して接続した場合の時間情報の履歴（所謂、タイムスタンプ）を利用して、前回の撮影の撮影日時を認識する。
【００９５】
そして、撮像装置１０は、当該撮像装置１０が単体で動作するモードにおいて、認識した前回の撮影の撮影日時からの経過時間が所定の閾値（時間幅）を超える場合に、画像が撮像される環境が変化したものと認識する。即ち、撮像装置１０は、認識した直近の撮影日時からの経過時間が所定の閾値を超える場合には、撮像部１５の動作を制御するための設定を、撮像装置１０が単体で動作するモード用にあらかじめ決められた設定に切り替える。
【００９６】
例えば、所定の閾値が「２時間」に設定されているものとする。図９に示す例では、前回の撮影から、撮像装置１０が単体で動作するモードでの今回の撮影までに「６時間」が経過している。そのため、図９に示す例の場合には、撮像装置１０は、撮像部１５の動作を制御するための設定を、当該撮像装置１０が単体で動作するモード用にあらかじめ決められた設定に切り替えることとなる。
【００９７】
なお、撮像装置１０が、前回の撮影（即ち、撮像装置１０と情報処理端末３０とが連携して動作するモードで撮影が行われた直近の撮影）の撮影日時を認識できれば、その方法は特に限定されないことは言うまでもない。具体的な一例として、撮像装置１０は、当該撮像装置１０と情報処理端末３０とのネットワークｎ１１が切断された場合の時間情報の履歴に基づき、前回の撮影の撮影日時を認識してもよい。
【００９８】
また、他の一例として、ネットワークｎ１１以外の他のネットワークを介して、撮像装置１０と情報処理端末３０とが情報を送受信可能に構成されている場合には、撮像装置１０は、当該他のネットワークの接続または切断に関する時間情報の履歴を利用してもよい。他のネットワークの一例としては、ＮＦＣ（Near  Field  Communication）等の通信規格に基づく近距離無線通信のネットワークや、Bluetooth（登録商標）規格に基づくネットワーク等が挙げられる。
【００９９】
また、撮像装置１０が設定を切り替えるための基準となる、時間情報の差を評価するための閾値については、当該撮像装置１０の使用形態や、想定される利用シーン等、当該撮像装置１０を使用した運用に応じて適宜設定すればよい。
【０１００】
また、撮像装置１０は、撮像部１５の動作を制御するための設定を変更する場合に、取得した時間情報に基づき、撮像時の時間帯を認識し、認識した時間帯に基づき、当該設定の内容を変更してもよい。具体的な一例として、撮像装置１０は、取得した時間情報に基づき、夕方の時間帯であることを認識した場合には、夕方の明るさにあわせて、画像を撮像するための設定を変更してもよい。
【０１０１】
以上、変形例１−１として、図９を参照して、撮像装置１０が、撮像時の時間情報に基づき、撮像部１５の動作を制御するための設定を変更する例について説明した。
【０１０２】
［４．２．変形例１−２：撮像シーンの変化に基づく制御］
次に、変形例１−２として、図１０を参照して、撮像装置１０が、撮像シーンの変化に基づき、撮像部１５の動作を制御するための設定を変更する例について説明する。図１０は、変形例１−２に係る制御方法の一例について説明するための説明図である。
【０１０３】
例えば、図１０に示す例では、「今回の撮影」として示すように、現時点では、撮像装置１０が単体で動作するモードで、当該撮像装置１０が動作している。また、「前回の撮影」として示すように、「今回の撮影」の直前の撮影時には、撮像装置１０と情報処理端末３０とが連携して動作するモードで、当該撮像装置１０が動作していたものとする。なお、本説明では、説明をわかりやすくするために、「前回の撮影」と記載した場合には、撮像装置１０と情報処理端末３０とが連携して動作するモードで行われた直近の撮影を示すものとする。
【０１０４】
変形例１−２に係る撮像装置１０は、各動作モードでの動作時に、当該動作モード中の撮像シーンを判別し、履歴として記録しておく。
【０１０５】
そして、当該撮像装置１０は、今回の撮影における撮像シーンと、前回の撮影における撮像シーンとの間で、各撮像シーンの特徴量を比較し、当該特徴量の変化が閾値を超える場合には、画像が撮像される環境が変化したものと認識する。即ち、撮像装置１０は、前回の撮影と今回の撮影との間で撮像シーンの特徴量の変化が閾値を超える場合には、撮像部１５の動作を制御するための設定を、当該撮像装置１０が単体で動作するモード用にあらかじめ決められた設定に切り替える。
【０１０６】
例えば、図１０に示す例では、今回の撮影における撮像シーンが「日中のビーチ」を示しており、前回の撮影における撮像シーンが「夜景」を示しているため、撮像シーンの特徴（例えば、明るさやコントラスト等）が大きく変化している。そのため、図１０に示す例の場合には、撮像装置１０は、撮像部１５の動作を制御するための設定を、当該撮像装置１０が単体で動作するモード用にあらかじめ決められた設定に切り替えることとなる。
【０１０７】
なお、今回の撮影と前回の撮影との間で撮像シーンが変化しているか否かを定量的に評価できれば、撮像シーンの特徴量として使用する情報の種別は特に限定されない。例えば、撮像装置１０は、撮像された画像（または、スルー画像）の特徴量を示すデータを、撮像シーンの特徴量を示すデータとして利用してもよい。具体的には、撮像された画像の明るさ、コントラストを数値化することで、撮像シーンの特徴量を示すデータとして利用してもよい。
【０１０８】
また、他の一例として、撮像装置１０は、撮像された画像のヒストグラムを、撮像シーンの特徴量を示すデータとして利用してもよい。この場合には、撮像装置１０は、例えば、ヒストグラムの偏り方の違いによって、撮像シーンの違いを認識することが可能である。
【０１０９】
また、撮像装置１０は、撮像時に自動で算出した、露出（即ち、絞りや、シャッタースピード）、ホワイトバランス、ＩＳＯ等の撮像条件を、撮像シーンの特徴量を示すデータとして利用してもよい。具体的には、撮像されるシーンが夜景のように暗いシーンの場合には、例えば、撮像装置１０は、ＩＳＯとして高い感度を算出し、シャッタースピードとして遅い速度を算出する。これに対して、撮像されるシーンが日中のビーチのように明るいシーンの場合には、撮像装置１０は、ＩＳＯとして低い感度を算出し、シャッタースピードとして速い速度を算出する。このように、撮像装置１０は、撮像時に算出した撮像条件を比較することで、撮像シーンの違いを認識してもよい。
【０１１０】
また、撮像装置１０は、撮像された画像を解析することで、当該画像中に撮像された被写体を抽出し、当該被写体の違いにより、撮像シーンの違いを認識してもよい。具体的な一例として、撮像装置１０は、顔認識技術等により画像中から人物を抽出することで、当該画像中に人物が撮像されているか否かに応じて、撮像シーンの違いを認識してもよい。
【０１１１】
また、撮像装置１０が設定を切り替えるための基準となる、撮像シーンの特徴量の変化を評価するための閾値については、当該撮像装置１０の使用形態や、想定される利用シーン等、当該撮像装置１０を使用した運用に応じて適宜設定すればよい。
【０１１２】
以上、変形例１−２として、図１０を参照して、撮像装置１０が、撮像シーンの変化に基づき、撮像部１５の動作を制御するための設定を変更する例について説明した。
【０１１３】
［４．３．変形例１−３：撮像時の位置情報に基づく制御］
次に、変形例１−３として、図１１を参照して、撮像装置１０が、撮像時の位置情報に基づき、撮像部１５の動作を制御するための設定を変更する例について説明する。図１１は、変形例１−３に係る制御方法の一例について説明するための説明図である。
【０１１４】
例えば、図１１に示す例では、「今回の撮影」として示すように、現時点では、撮像装置１０が単体で動作するモードで、当該撮像装置１０が動作している。また、「前回の撮影」として示すように、「今回の撮影」の直前の撮影時には、撮像装置１０と情報処理端末３０とが連携して動作するモードで、当該撮像装置１０が動作していたものとする。なお、本説明では、説明をわかりやすくするために、「前回の撮影」と記載した場合には、撮像装置１０と情報処理端末３０とが連携して動作するモードで行われた直近の撮影を示すものとする。
【０１１５】
変形例１−３に係る撮像装置１０は、各動作モードでの動作時に、当該撮像装置１０の位置を示す位置情報を、履歴として記録しておく。なお、撮像装置１０の位置情報は、例えば、当該撮像装置１０に設けられたＧＰＳ（Global  Positioning  System）により取得することが可能であることは言うまでもない。
【０１１６】
そして、撮像装置１０は、今回の撮影時に取得された位置情報と、前回の撮影時に取得された位置情報とを比較し、位置情報の差が閾値を超える場合には、画像が撮像される環境が変化したものと認識する。即ち、撮像装置１０は、前回の撮影と今回の撮影との間で位置情報の差が閾値を超える場合には、撮像部１５の動作を制御するための設定を、当該撮像装置１０が単体で動作するモード用にあらかじめ決められた設定に切り替える。
【０１１７】
例えば、図１１に示す例では、今回の撮影における位置情報が「国外」を示しており、前回の撮影における位置情報が「国内」を示しているため、各撮影時の位置情報が大きく変化している。そのため、図１１に示す例の場合には、撮像装置１０は、撮像部１５の動作を制御するための設定を、当該撮像装置１０が単体で動作するモード用にあらかじめ決められた設定に切り替えることとなる。
【０１１８】
なお、撮像装置１０が設定を切り替えるための基準となる、位置情報の差を評価するための閾値については、当該撮像装置１０の使用形態や、想定される利用シーン等、当該撮像装置１０を使用した運用に応じて適宜設定すればよい。
【０１１９】
また、撮像装置１０は、撮像部１５の動作を制御するための設定を変更する場合に、当該設定の内容を、取得した位置情報に基づき変更してもよい。具体的な一例として、撮像装置１０は、取得した位置情報に基づき、当該位置情報が示す位置に建てられた建造物（所謂ランドマーク）等の被写体の情報を取得し、取得した被写体の情報に基づき設定を変更してもよい。例えば、撮像装置１０は、取得した位置情報に基づき、東京タワーの近傍に位置しているものと認識した場合には、被写体として東京タワーを認識し、当該東京タワーの情報に基づき、東京タワーが赤色であることを認識できる。そのため、撮像装置１０は、被写体である東京タワーの赤色がより映えるように、画像を撮像するための設定を変更してもよい。
【０１２０】
以上、変形例１−３として、図１１を参照して、撮像装置１０が、撮像時の位置情報に基づき、撮像部１５の動作を制御するための設定を変更する例について説明した。
【０１２１】
［４．４．まとめ］
以上、変形例１として説明したように、撮像装置１０が単体で動作するモードに遷移した場合に、当該撮像装置１０は、画像が撮像される環境の変化に応じて、撮像部１５の動作を制御するための設定を制御してもよい。このような構成により、撮像装置１０は、画像が撮像される環境が大きく変化していなければ、モード遷移前のユーザ入力に基づく設定、即ち、画像の撮像に際して、ユーザがより意図する設定を適用することが可能となる。
【０１２２】
なお、上記に示した変形例１−１〜変形例１−３は、適宜組み合わせてもよい。具体的な一例として、撮像装置１０は、取得した時間情報及び位置情報に基づき、夜の時間帯であり、かつ、都市部に位置することを認識したとする。この場合には、撮像装置１０は、都市の夜景がより映えるように、撮像部１５の動作を制御するための設定（例えば、画像を撮像するための設定）を変更してもよい。
【０１２３】
また、他の一例として、撮像装置１０は、取得した時間情報及び位置情報に基づき、夜の時間帯であり、かつ、東京タワーの近傍に位置することを認識したとする。この場合には、撮像装置１０は、夜の東京タワーがより映えるように、撮像部１５の動作を制御するための設定（例えば、画像を撮像するための設定）を変更してもよい。
【０１２４】
＜５．変形例２：撮像装置と情報処理端末との連携時の動作の一例＞
次に、変形例２として、撮像装置１０と情報処理端末３０とが連携して動作するモードにおいて、当該撮像装置１０が、当該情報処理端末３０との間の連携状態に応じて、撮像部１５の動作を制御するための設定を切り替える場合の一例について説明する。
【０１２５】
図３及び図４に示したように、撮像装置１０と情報処理端末３０とが連携して動作するモードでは、情報処理端末３０に対して撮像装置１０が取り付けられていてもよいし、撮像装置１０と情報処理端末３０とが離間していてもよい。
【０１２６】
一方で、情報処理端末３０及び撮像装置１０のいずれか一方に対して他方が保持されているか否か（即ち、情報処理端末３０に対して当該撮像装置１０が取り付けられているか否か）を示す保持状態に応じて、図３及び図４に示すように、情報処理端末３０及び撮像装置１０の使用形態が異なる場合がある。
【０１２７】
上記のような状況を鑑みて、変形例２に係る情報処理システムでは、撮像装置１０は、当該撮像装置１０と情報処理端末３０との間の保持状態を検出し、検出した当該保持状態に応じて、撮像部１５の動作を制御するための設定を変更する。このような構成により、変形例２に係る情報処理システムでは、撮像装置１０と情報処理端末３０との間の保持状態に応じた使用形態にあわせて、撮像部１５の動作を制御するための設定（例えば、撮像条件）を自動で変更することが可能となる。そこで、以降では、図１２及び図１３を参照して、変形例２に係る情報処理システムについてさらに詳しく説明する。
【０１２８】
まず、図１２を参照して、変形例２に係る情報処理システムにおける保持状態の一例について説明する。図１２は、変形例２に係る情報処理システムの概要について説明するための説明図であり、情報処理システムにおける保持状態の一例について示している。
【０１２９】
図１２に示すように、撮像装置１０及び情報処理端末３０は、情報処理端末３０に対して撮像装置１０が取り付けられている状態と、情報処理端末３０と撮像装置１０とが離間している状態とのいずれにおいても、互いに連携して動作し得る。なお、本説明では、図１２に示すように、情報処理端末３０に対して撮像装置１０が取り付けられている状態を「固定状態」と呼び、情報処理端末３０と撮像装置１０とが離間している状態を「分離状態」と呼ぶ場合がある。
【０１３０】
次に、図１３を参照して、変形例２に係る情報処理システムの機能構成の一例について説明する。図１３は、変形例２に係る情報処理システムの機能構成の一例を示したブロック図である。なお、本説明では、前述した実施形態に係る情報処理システム（図７参照）と異なる部分に着目して説明し、当該実施形態に係る情報処理システムと同様の構成については、詳細な説明は省略する。また、以降では、変形例２に係る撮像装置１０を、前述した実施形態に係る撮像装置１０と区別する場合には、「撮像装置１０ａ」と記載する場合がある。同様に、変形例２に係る情報処理端末３０を、前述した実施形態に係る情報処理端末３０と区別する場合には、「情報処理端末３０ａ」と記載する場合がある。
【０１３１】
図１３に示すように、本実施形態に係る撮像装置１０ａは、第２通信部１３ｂを含む点で、前述した実施形態に係る撮像装置１０（図７参照）と異なる。なお、第１通信部１３ａは、前述した実施形態に係る撮像装置１０の通信部１３に相当する。同様に、本実施形態に係る情報処理端末３０ａは、第２通信部３３ｂを含む点で、前述した実施形態に係る情報処理端末３０（図７参照）と異なる。なお、第１通信部３３ａは、前述した実施形態に係る情報処理端末３０の通信部３３に相当する。
【０１３２】
第２通信部１３ｂは、撮像装置１０ａ内の各構成が、ネットワークｎ１１とは異なるネットワークｎ１２を介して情報処理端末３０ａと通信を行うための通信インタフェースである。ネットワークｎ１２の具体的な一例としては、ＮＦＣ等の通信規格に基づく近距離無線通信のネットワークが挙げられる。なお、以降では、撮像装置１０ａ内の各構成が、ネットワークｎ１２を介して情報処理端末３０ａとの間でデータを送受信する場合には、特に説明が無い場合においても、第２通信部１３ｂを介して当該データの送受信を行うものとする。
【０１３３】
また、第２通信部３３ｂは、情報処理端末３０ａ内の各構成が、前述したネットワークｎ１２を介して撮像装置１０と通信を行うための通信インタフェースである。なお、以降では、情報処理端末３０ａ内の各構成が、ネットワークｎ１２を介して撮像装置１０ａとの間でデータを送受信する場合には、特に説明が無い場合においても、第２通信部３３ｂを介して当該データの送受信を行うものとする。
【０１３４】
図１２に示した固定状態では、撮像装置１０ａと情報処理端末３０ａとが近接するため、撮像装置１０ａと情報処理端末３０ａと間でネットワークｎ１２を確立することが可能となる。即ち、固定状態では、撮像装置１０ａは、情報処理端末３０ａとの間で、ネットワークｎ１１に加えて、ネットワークｎ１２を介して通信可能な状態となる。
【０１３５】
これに対して、図１２に示した分離状態では、撮像装置１０ａと情報処理端末３０ａとが離間するため、撮像装置１０ａと情報処理端末３０ａと間でネットワークｎ１２を確立することが困難である。そのため、分離状態では、撮像装置１０ａは、ネットワークｎ１２を介して情報処理端末３０ａと通信を行うことが困難な状態となる。
【０１３６】
即ち、撮像装置１０ａと情報処理端末３０ａとは、ネットワークｎ１２を介して所定の通信シーケンスを実行することで、当該情報処理端末３０ａと撮像装置１０ａと間の保持状態が、固定状態及び分離状態のいずれかを互いに認識することができる。
【０１３７】
このような仕組みを利用することで、変形例２に係る撮像装置１０ａは、当該撮像装置１０ａと情報処理端末３０ａとの間の保持状態が、固定状態及び分離状態のいずれかを判別し、判別結果に応じて、撮像部１５の動作を制御するための設定を変更する。そこで、以下に、当該制御の詳細について、特に、状態監視部１１３、モード判別部１１５、及び設定制御部１１７の動作に着目して説明する。
【０１３８】
変形例２に係る状態監視部１１３は、ネットワークｎ１１を介した通信の監視に加えて、ネットワークｎ１２を介した通信が有効な状態であるか否かを監視し、ネットワークｎ１１及びｎ１２それぞれの状態の監視結果をモード判別部１１５に通知する。このとき、状態監視部１１３は、ネットワークｎ１１及びｎ１２を介した通信を逐次監視（死活監視）することで、当該ネットワークｎ１１及びｎ１２を介した通信のいずれかもしくは双方が途絶した場合に、これを検知してモード判別部１１５に通知してもよい。また、状態監視部１１３は、ネットワークｎ１１及びｎ１２を介した通信それぞれが確立された場合に、このことをモード判別部１１５に通知してもよい。
【０１３９】
モード判別部１１５は、通知されたネットワークｎ１１の状態の監視結果に基づき、撮像装置１０ａと情報処理端末３０ａとの間で、ネットワークｎ１１を介して情報の送受信が可能な状態か否かに応じて、撮像装置１０ａの現在の動作モードを判別する。この動作は、前述した実施形態と同様である。
【０１４０】
また、モード判別部１１５は、通知されたネットワークｎ１２の状態の監視結果に基づき、撮像装置１０ａと情報処理端末３０ａとの間の保持状態が、固定状態及び分離状態のいずれかを判別する。具体的には、モード判別部１１５は、ネットワークｎ１２が確立されている場合には、撮像装置１０ａと情報処理端末３０ａとの間の保持状態が固定状態であるものと認識する。また、モード判別部１１５は、ネットワークｎ１２が切断されている場合には、撮像装置１０ａと情報処理端末３０ａとの間の保持状態が分離状態であるものと認識する。
【０１４１】
そして、モード判別部１１５は、状態監視部１１３から通知される監視結果に基づき認識した動作モード及び保持状態を、設定制御部１１７に通知する。
【０１４２】
変形例２に係る設定制御部１１７は、モード判別部１１５から通知される撮像装置１０ａの動作モードと、撮像装置１０ａと情報処理端末３０ａとの間の保持状態とに応じて、処理実行部１１１が、撮像部１５の動作を制御するための設定を切り替える。
【０１４３】
例えば、設定制御部１１７は、撮像装置１０ａの動作モードが、撮像装置１０ａが単体で動作するモードの場合には、撮像装置１０ａが単体で動作するモード用にあらかじめ決められた設定に切り替える。具体的な一例として、設定制御部１１７は、撮像装置１０ａが単体で動作するモードの場合には、露出やホワイトバランス等の撮像条件を自動で制御されたり、画角が自動で補正されるように各種設定を変更する。本動作は、前述した実施形態に係る設定制御部１１７と同様である。
【０１４４】
一方で、設定制御部１１７は、撮像装置１０ａの動作モードが、撮像装置１０ａと情報処理端末３０ａとが連携して動作可能なモードの場合には、撮像装置１０ａと情報処理端末３０ａとの間の保持状態に応じて、撮像部１５の動作を制御するための設定を切り替える。
【０１４５】
例えば、撮像装置１０ａと情報処理端末３０ａとの間の保持状態が固定状態の場合には、設定制御部１１７は、情報処理端末３０を介したユーザからの指示に基づく設定が反映されるように各種設定を制御する。
【０１４６】
これに対して、撮像装置１０ａと情報処理端末３０ａとの間の保持状態が分離状態の場合には、設定制御部１１７は、少なくとも一部の設定を、分離状態用にあらかじめ決められた設定に切り替える。
【０１４７】
例えば、設定制御部１１７は、分離状態の場合には、撮像装置１０ａに設けられた報知部１９による情報の報知機能を有効化してもよい。具体的な一例として、設定制御部１１７は、液晶パネルとして構成された報知部１９に水準器が表示されるように各種設定を制御してもよい。また、他の一例として、設定制御部１１７は、音響出力デバイスとして構成された報知部１９により、撮像装置１０が所定の状態となった場合（例えば、撮像装置１０が水平となった場合）に音響情報を出力させてもよい。
【０１４８】
また、分離状態の場合には、設定制御部１１７は、画角が自動で補正されるように設定を変更する。具体的な一例として、設定制御部１１７は、分離状態の場合には、撮像された画像の画角が水平となるように画像処理を施すことで、当該画像を補正する設定に変更してもよい。
【０１４９】
また、分離状態の場合には、設定制御部１１７は、手ぶれ補正による補正量を、固定状態の場合よりも大きく設定してもよい。
【０１５０】
また、他の一例として、設定制御部１１７は、情報処理端末３０ａ側に表示されるライブビューの表示方向（即ち、縦長の画面と横長の画面）を自動で切り替える機能が、分離状態の場合には無効化されるように設定を変更してもよい。この場合には、設定制御部１１７は、分離状態に遷移する直前の固定状態における設定が有効となるように制御してもよい。
【０１５１】
また、設定制御部１１７は、撮像装置１０の落下を検出した場合に、撮像部１５のレンズを収納することで、当該レンズへのダメージを抑える落下検出機能の有効及び無効を切り替えてもよい。具体的な一例として、設定制御部１１７は、分離状態の場合に、落下検出機能が有効化されるように設定を変更してもよい。
【０１５２】
また、設定制御部１１７は、固定状態と分離状態とのいずれかに応じて、拡大率（ズーム）の変更速度を切り替えてもよい。また、他の一例として、設定制御部１１７は、分離状態の場合には、拡大率（ズーム）の設定が、あらかじめ決められた所定の拡大率となるように設定を変更してもよい。
【０１５３】
また、設定制御部１１７は、撮像装置１０ａと情報処理端末３０ａとの間の保持状態に応じて、当該撮像装置１０に設けられた操作部１８に割り当てられる機能を切り替えてもよい。具体的な一例として、設定制御部１１７は、固定状態及び分離状態のうちいずれか一方の状態において「動画の撮像指示」が割り当てられた操作部１８に対して、他方のモードでは、「静止画の撮像指示」が割り当てられるように、設定を変更してもよい。
【０１５４】
また、他の一例として、設定制御部１１７は、撮像装置１０ａと情報処理端末３０ａとの間の保持状態に応じて、当該撮像装置１０に設けられた操作部１８の有効及び無効を切り替えてもよい。具体的な一例として、設定制御部１１７は、当該撮像装置１０に設けられた操作部１８の少なくとも一部を、分離状態においてのみ有効化し、固定状態では無効化してもよい。
【０１５５】
以上、変形例２として説明したように、撮像装置１０ａと情報処理端末３０ａとが連携して動作可能な状態においても、当該撮像装置１０ａは、情報処理端末３０ａとの間の保持状態に応じて、各種設定を切り替えてもよい。このような構成により、図３及び図４に示すように、撮像装置１０ａと情報処理端末３０ａとの間の保持状態を検出し、当該保持状態に応じた使用形態にあわせて、撮像装置１０ａの各種設定を切り替えることが可能となる。
【０１５６】
なお、上記に示す例では、ネットワークｎ１２を介した通信の状態に応じて、撮像装置１０ａが、情報処理端末３０ａとの間の保持状態を認識する例について説明したが、当該保持状態が認識できれば、その方法は上記に示す例には限定されない。具体的な一例として、撮像装置１０ａと情報処理端末３０ａとのいずれか、または双方にセンサやスイッチを設け、当該センサやスイッチに基づき、撮像装置１０ａと情報処理端末３０ａの間の保持状態を認識する構成としてもよい。
【０１５７】
＜６．ハードウェア構成＞
次に、図１４を参照して、本開示の実施形態に係る撮像装置１０のハードウェア構成の一例について説明する。図１４は、本開示の実施形態に係る撮像装置１０のハードウェア構成の一例を示した図である。
【０１５８】
図１４に示すように、本実施形態に係る撮像装置１０は、プロセッサ９０１と、メモリ９０３と、ストレージ９０５と、撮像デバイス９１１と、通信デバイス９１３と、バス９１５とを含む。また、撮像装置１０は、操作デバイス９０７と、報知デバイス９０９とを含んでもよい。
【０１５９】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、撮像装置１０の様々な処理を実行する。プロセッサ９０１は、例えば、各種演算処理を実行するための電子回路により構成することが可能である。なお、前述した制御部１１の各構成は、プロセッサ９０１により実現され得る。
【０１６０】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。例えば、前述した記憶部１７は、メモリ９０３及びストレージ９０５の少なくともいずれか、もしくは、双方の組み合わせにより構成され得る。
【０１６１】
操作デバイス９０７は、ユーザが所望の操作を行うための入力信号を生成する機能を有する。操作デバイス９０７は、例えばボタン及びスイッチなどユーザが情報を入力するための入力部と、ユーザによる入力に基づいて入力信号を生成し、プロセッサ９０１に供給する入力制御回路などから構成されてよい。例えば、前述した操作部１８は、操作デバイス９０７により構成され得る。
【０１６２】
報知デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。この場合には、報知デバイス９０９は、画面を表示することにより、ユーザに対して所定の情報を報知することができる。
【０１６３】
また、他の一例として、報知デバイス９０９は、ＬＥＤ（Light  Emitting  Diode）のように、点灯又は点滅のパターンにより、所定の情報をユーザに報知するデバイスであってもよい。また、報知デバイス９０９は、スピーカ等のように、所定の音響信号を出力することで、所定の情報をユーザに報知するデバイスであってもよい。なお、前述した報知部１９は、報知デバイス９０９により実現され得る。
【０１６４】
撮像デバイス９１１は、プロセッサ９０１の制御に従い、レンズを介して静止画像又は動画像を撮影する機能を有する。撮像デバイス９１１は、撮像した画像をメモリ９０３やストレージ９０５に記憶させてもよい。なお、前述した撮像部１５は、撮像デバイス９１１により実現され得る。
【０１６５】
通信デバイス９１３は、撮像装置１０が備える通信手段であり、ネットワークを介して外部装置と通信する。通信デバイス９１３は、有線または無線用の通信インタフェースである。通信デバイス９１３を、無線通信インタフェースとして構成するバイには、当該通信デバイス９１３は、通信アンテナ、ＲＦ（Radio  Frequency）回路、ベースバンドプロセッサなどを含んでもよい。
【０１６６】
通信デバイス９１３は、外部装置から受信した信号に各種の信号処理を行う機能を有し、受信したアナログ信号から生成したデジタル信号をプロセッサ９０１に供給することが可能である。なお、前述した通信部１３及び通信部３３は、当該通信デバイス９１３により構成され得る。
【０１６７】
バス９１５は、プロセッサ９０１、メモリ９０３、ストレージ９０５、操作デバイス９０７、報知デバイス９０９、撮像デバイス９１１、及び通信デバイス９１３を相互に接続する。バス９１５は、複数の種類のバスを含んでもよい。
【０１６８】
また、コンピュータに内蔵されるプロセッサ、メモリ、及びストレージなどのハードウェアを、上記した撮像装置１０が有する構成と同等の機能を発揮させるためのプログラムも作成可能である。また、当該プログラムを記録した、コンピュータに読み取り可能な記憶媒体も提供され得る。
【０１６９】
＜７．まとめ＞
以上説明したように、本実施形態に係る撮像装置１０は、自身が単体で動作する状態を検知した場合に、所定の動作モードに遷移し、処理実行部１１１が撮像部１５の動作を制御するための設定を、当該動作モード用にあらかじめ決められた設定に切り替える。このような構成により、本実施形態に係る情報処理システムは、撮像時の設定や画角の確認が困難な状況においても、被写体やシーンに適した設定が行われていない画像等のような、ユーザが意図していない画像が撮像される事態を防止することが可能となる。
【０１７０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１７１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１７２】
なお、以下のような構成も本開示の技術的範囲に属する。
（１）
外部装置との間の無線の通信経路を介した通信状態に応じて、撮像部の状態を前記外部装置が検知可能なモードか否かを判別する判別部と、
前記判別結果に基づき、前記撮像部の動作を制御する制御部と、
を備えた、情報処理装置。
（２）
前記制御部は、前記撮像部の状態を前記外部装置が検知可能な前記モードである第１のモードと、前記第１のモードとは異なる第２のモードとで、互いに異なる設定に基づき、前記撮像部の動作を制御する、前記（１）に記載の情報処理装置。
（３）
前記第２のモードは、前記外部装置との間の通信が切断されている状態で遷移するモードである、前記（２）に記載の情報処理装置。
（４）
前記制御部は、前記第１のモードから前記第２のモードに遷移した後の経過時間に応じて、前記設定を切り替える、前記（２）または（３）に記載の情報処理装置。
（５）
前記制御部は、前記第２のモードにおける撮像シーンと、当該第２のモードへの切り替え前の前記第１のモードにおける撮像シーンとに基づき、前記設定を切り替える、前記（２）〜（４）のいずれか一項に記載の情報処理装置。
（６）
前記制御部は、前記第２のモード時に取得された位置情報と、当該第２のモードへの切り替え前の前記第１のモード時に取得された位置情報とに基づき、前記設定を切り替える、前記（２）〜（５）のいずれか一項に記載の情報処理装置。
（７）
前記第２のモードに対応した前記設定は、当該撮像部が画像を撮像するための撮像条件のうち、少なくとも一部を自動で制御するための設定を含む、前記（２）〜（６）のいずれか一項に記載の情報処理装置。
（８）
前記第２のモードに対応した前記設定は、前記撮像部により撮像された画像に対して所定の画像処理を施すための設定を含む、前記（２）〜（７）のいずれか一項に記載の情報処理装置。
（９）
前記制御部は、前記第２のモードにおいて、前記撮像部の状態を示す報知情報を、当該撮像部と同一筐体に設けられた報知部に報知させる、前記（２）〜（８）のいずれか一項に記載の情報処理装置。
（１０）
前記制御部は、前記第１のモードと前記第２のモードとのいずれかに応じて、前記撮像部と同一筐体に設けられた操作部に割り当てる機能を切り替える、前記（２）〜（９）のいずれか一項に記載の情報処理装置。
（１１）
前記判別部は、前記撮像部及び前記外部装置の一方に対して他方が直接または間接的に保持されているか否かを示す保持状態を判別し、
前記制御部は、前記第１のモードにおいて、判別された前記保持状態に応じて、互いに異なる設定に基づき、前記撮像部の動作を制御する、前記（２）〜（１０）のいずれか一項に記載の情報処理装置。
（１２）
前記制御部は、前記第１のモードにおいて、判別された前記保持状態に応じて、互いに異なる撮像条件に基づき、前記撮像部による画像の撮像に係る動作を制御する、前記（１１）に記載の情報処理装置。
（１３）
前記制御部は、前記第１のモードであり、かつ、前記撮像部及び前記外部装置の一方に対して他方が保持されていない状態において、前記撮像部の状態を示す報知情報を前記外部装置に報知させる、前記（１１）または（１２）に記載の情報処理装置。
（１４）
前記第１のモードであり、かつ、前記撮像部及び前記外部装置の一方に対して他方が保持されていない状態に対応する前記設定は、前記撮像部により撮像された画像に対して所定の画像処理を施すための設定を含む、前記（１１）〜（１３）のいずれか一項に記載の情報処理装置。
（１５）
前記制御部は、前記第１のモードにおいて、判別された前記保持状態に応じて、前記撮像部と同一筐体に設けられた操作部に割り当てる機能を切り替える、前記（１１）〜（１４）のいずれか一項に記載の情報処理装置。
（１６）
前記第２のモードは、前記制御部が、前記撮像部と同一筐体に設けられた操作部からの指示と、前記外部装置からの指示とのうち、当該操作部からの指示のみに基づき、前記撮像部の画像の撮像に係る動作を制御するモードである、前記（２）〜（１５）のいずれか一項に記載の情報処理装置。
（１７）
前記判別部、前記制御部、前記撮像部、及び前記操作部を含む筐体を備え、
前記筐体は、前記撮像部により撮影された画像を表示する表示部を有さず、
前記撮像部により撮像された画像は、前記外部装置が有する表示部に表示される、
前記（１６）に記載の情報処理装置。
（１８）
前記撮像部を含む、前記（１）〜（１６）のいずれか一項に記載の情報処理装置。
（１９）
外部装置との間の無線の通信経路を介した通信状態に応じて、撮像部の状態を前記外部装置が検知可能なモードか否かを判別することと、
プロセッサが、前記判別結果に基づき、前記撮像部の動作を制御することと、
を含む、情報処理方法。
（２０）
コンピュータに、
外部装置との間の無線の通信経路を介した通信状態に応じて、撮像部の状態を前記外部装置が検知可能なモードか否かを判別することと、
前記判別結果に基づき、前記撮像部の動作を制御することと、
を実行させる、プログラム。
【符号の説明】
【０１７３】
１０、１０ａ  撮像装置
１１    制御部
１１１  処理実行部
１１３  状態監視部
１１５  モード判別部
１１７  設定制御部
１３    通信部
１３ａ  第１通信部
１３ｂ  第２通信部
１５    撮像部
１７    記憶部
１８    操作部
１９    報知部
３０、３０ａ  情報処理端末
３１    制御部
３３    通信部
３３ａ  第１通信部
３３ｂ  第２通信部
３５    ＵＩ
【図１】
2020099069.tif 000003
【図２】
2020099069.tif 000004
【図３】
2020099069.tif 000005
【図４】
2020099069.tif 000006
【図５】
2020099069.tif 000007
【図６】
2020099069.tif 000008
【図７】
2020099069.tif 000009
【図８】
2020099069.tif 000010
【図９】
2020099069.tif 000011
【図１０】
2020099069.tif 000012
【図１１】
2020099069.tif 000013
【図１２】
2020099069.tif 000014
【図１３】
2020099069.tif 000015
【図１４】
2020099069.tif 000016
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
外部装置との通信を行う通信部と、
撮像モードに関する設定を制御する制御部と、を備え、
前記撮像モードには、前記通信部を介して前記外部装置と連携する連携モードと、前記外部装置と連携しない単独モードとが含まれ、
前記制御部は、前回の撮像モードと今回の撮像モードとが異なる場合に、所定の条件に応じて、前記今回の撮像モードに関して前記前回の撮像モードと異なる設定状態と前記前回の撮像モードと同じ設定状態とのうちの一方を選択する
撮像装置。
【請求項２】
前記制御部は、前記前回の撮像モードと前記今回の撮像モードとが同じ場合に、前記所定の条件に応じて、前記今回の撮像モードに関して前記前回の撮像モードと同じ設定状態に制御する
請求項１に記載の撮像装置。
【請求項３】
前記制御部は、前記前回の撮像モードと前記今回の撮像モードとが異なる場合に、前記前回の撮像モードと前記今回の撮像モードとの間で画像が撮像される環境が変化したか否かに応じて、前記今回の撮影モードに関して前記前回の撮像モードと異なる設定状態と前記前回の撮像モードと同じ設定状態とのうちの一方を選択する
請求項１に記載の撮像装置。
【請求項４】
前記制御部は、前記画像が撮像される環境が変化した場合は、前記今回の撮影モードに関して、前記前回の撮像モードと異なる設定状態に制御する
請求項３に記載の撮像装置。
【請求項５】
前記制御部は、前記画像が撮像される環境が変化しなかった場合は、前記今回の撮影モードに関して、前記前回の撮像モードと同じ設定状態に制御する
請求項３に記載の撮像装置。
【請求項６】
前記撮像モードに関する設定には、ユーザ入力に基づく設定と、ユーザ入力に基づかないあらかじめ決められた設定とが含まれる
請求項３に記載の撮像装置。
【請求項７】
前記制御部は、前記前回の撮像モードが前記連携モードで、前記今回の撮像モードが前記単独モードである場合に、前記画像が撮像される環境が変化した場合は、前記今回の撮像モードに関して、前記前回の撮像モードと異なる設定状態である前記ユーザ入力に基づかないあらかじめ決められた設定に制御する
請求項６に記載の撮像装置。
【請求項８】
前記制御部は、前記前回の撮像モードが前記連携モードで、前記今回の撮像モードが前記単独モードである場合に、前記画像が撮像される環境が変化しなかった場合は、前記今回の撮像モードに関して、前記前回の撮像モードと同じ設定に制御する
請求項６に記載の撮像装置。
【請求項９】
前記制御部は、前記前回の撮像モードと前記今回の撮像モードとの間で経過時間が閾値を超えたか否かに応じて、前記今回の撮影モードに関して前記前回の撮像モードと異なる設定状態と前記前回の撮像モードと同じ設定状態とのうちの一方を選択する
請求項３に記載の撮像装置。
【請求項１０】
前記制御部は、前記前回の撮影モードと前記今回の撮像モードとの間で撮像シーンの特徴量の変化が閾値を超えるか否かに応じて、前記今回の撮影モードに関して前記前回の撮像モードと異なる設定状態と前記前回の撮像モードと同じ設定状態とのうちの一方を選択する
請求項３に記載の撮像装置。
【請求項１１】
前記制御部は、前記前回の撮影モードと前記今回の撮影モードとの間で撮像シーンの撮像条件が変化したか否かに応じて、前記今回の撮影モードに関して前記前回の撮像モードと異なる設定状態と前記前回の撮像モードと同じ設定状態とのうちの一方を選択する
請求項３に記載の撮像装置。
【請求項１２】
前記制御部は、前記前回の撮影モードと前記今回の撮影モードとの間で撮像シーンの被写体が変化したか否かに応じて、前記今回の撮影モードに関して前記前回の撮像モードと異なる設定状態と前記前回の撮像モードと同じ設定状態とのうちの一方を選択する
請求項３に記載の撮像装置。
【請求項１３】
前記制御部は、前記前回の撮影モードと前記今回の撮影モードとの間で撮像シーンの位置情報が変化したか否かに応じて、前記今回の撮影モードに関して前記前回の撮像モードと異なる設定状態と前記前回の撮像モードと同じ設定状態とのうちの一方を選択する
請求項２に記載の撮像装置。
【請求項１４】
コンピュータが、
外部装置と通信を行うことと、
撮像モードに関する設定を制御することと、
を含み、
前記撮像モードには、前記通信を介して前記外部装置と連携する連携モードと、前記外部装置と連携しない単独モードとが含まれ、
前回の撮像モードと今回の撮像モードとが異なる場合に、所定の条件に応じて、前記今回の撮像モードに関して前記前回の撮像モードと異なる設定状態と前記前回の撮像モードと同じ設定状態とのうちの一方を選択する、
撮像方法。
【請求項１５】
コンピュータに、
外部装置と通信を行うことと、
撮像モードに関する設定を制御することと、
を実行させ、
前記撮像モードには、前記通信を介して前記外部装置と連携する連携モードと、前記外部装置と連携しない単独モードとが含まれ、
前回の撮像モードと今回の撮像モードとが異なる場合に、所定の条件に応じて、前記今回の撮像モードに関して前記前回の撮像モードと異なる設定状態と前記前回の撮像モードと同じ設定状態とのうちの一方を選択する、
プログラム。